(57)【要約】【課題】主光源のランプの点灯時間の経過につれて低下する主光源のランプの投射光の光度変化に対応し、副光源から投射される光の光度を予め定められた光度に変化させる。【解決手段】ランプ点灯時間管理部２は、プロジェクタの主光源のランプの累積点灯時間の値が予め定められた値に達するごとに、その旨を知らせる信号を出力する。制御部５は前記信号を受取り、主光源のランプから投射される光に含まれるスペクトル成分の中で他のスペクトル成分に比較し光度不足の特定の波長帯域のスペクトルの光度を補うために副光源の固体光源部１ａから投射される特定の波長帯域のスペクトル成分の光度を、そのときの光度より低い定められた値の光度に低下させるための制御信号を供給電流切替制御部３へ出力する。供給電流切替制御部３は、固体光源部１ａに供給される電流値の低下を供給電流切替部４に制御させるための信号を供給電流切替部４へ出力する。【選択図】      図１
2005106852.tif 000002
【特許請求の範囲】
【請求項１】
（Ａ）プロジェクタの主光源であるランプ、
（Ｂ）前記ランプの光に含まれるスペクトル成分の中の、他のスペクトル成分に比較して光度の低い特定の波長帯域のスペクトル成分の光度を補うために前記プロジェクタの副光源として用いられる、前記特定の波長帯域の光を発光する固体光源、
を備えたプロジェクタ投射光におけるスペクトル分布制御方式において、前記プロジェクタが使用されるごとに前記ランプの累積点灯時間の値を記憶し、前記ランプの累積点灯時間の値が予め定められた値に達するごとに、前記ランプの累積点灯時間の値が予め定められた値に達したことを知らせる信号を出力するランプ点灯時間管理手段と、前記ランプ点灯時間管理手段からの前記信号を受け取る都度、前記固体光源から発光される前記特定の波長帯域のスペクトル成分の光度を、そのときの光度より低い、予め定められた値の光度に低下させるために前記固体光源に供給される電流値を制御する制御手段とを備えたことを特徴とするプロジェクタ投射光におけるスペクトル分布制御方式。
【請求項２】
請求項１記載のプロジェクタ投射光におけるスペクトル分布制御方式において、前記主光源であるランプは白色光に近い光を発光し、前記特定の波長帯域のスペクトル成分は赤色光であることを特徴とするプロジェクタ投射光におけるスペクトル分布制御方式。
【請求項３】
（Ａ）プロジェクタの主光源である、白色光に近い光を発光するランプ、
（Ｂ）前記ランプの光に含まれるスペクトル成分の中で他のスペクトル成分に比較して光度の低い赤色光を補足するために前記プロジェクタの副光源として用いられる、赤色光を発光する固体光源、
を備えたプロジェクタ投射光におけるスペクトル分布制御方式において、
（Ｃ）前記プロジェクタが使用されるごとに前記ランプの累積点灯時間の値を記憶し、ランプの累積点灯時間の値が予め定められた値に達するごとに、ランプ点灯累積時間信号を出力するランプ点灯時間管理部、
（Ｄ）入力された前記ランプ点灯累積時間信号に基づいて、前記固体光源に供給される電流の値を切替えさせるための赤色光光度低下制御信号を出力する制御部、
（Ｅ）前記固体光源に供給される電流の値を切替えるための切替回路を有する供給電流切替部、
（Ｆ）前記赤色光光度低下制御信号を入力したとき、その都度、前記固体光源から発光される赤色光の光度を、そのときの光度より低い、予め定められた値の光度に低下させる制御を行うために、前記固体光源に供給される電流値をそれまでの電流値から前記ランプ点灯累積時間信号が示すランプの累積点灯時間の値に対応した、前記赤色光光度低下制御信号に示される予め定められた値まで、前記固体光源に供給される電流値を減少させるために必要な、前記供給電流切替部の切替回路の制御を指示する切替回路制御指示信号を出力する供給電流切替制御部、
を備えたことを特徴とするプロジェクタ投射光におけるスペクトル分布制御方式。
【請求項４】
請求項３記載のプロジェクタ投射光におけるスペクトル分布制御方式において、前記制御部は、前記ランプが新しいランプに交換されてランプ交換情報が操作入力されたとき、前記ランプ点灯時間管理部が記憶していた前記ランプの累積点灯時間の値を消去して、前記新しいランプの累積点灯時間の値の記憶を再開させることを特徴とするプロジェクタ投射光におけるスペクトル分布制御方式。
【請求項５】
請求項３記載のプロジェクタ投射光におけるスペクトル分布制御方式において、前記制御部は前記プロジェクタの使用中に、前記ランプ点灯累積時間信号が前記ランプ点灯時間管理部から出力された場合は、前記プロジェクタの使用中は前記切替回路制御指示信号を供給電流切替制御部に出力せず、前記ランプ点灯時間管理部に対し、前記ランプ点灯累積時間信号の示す内容を記憶保持させ、前記プロジェクタの使用が終了した後の、前記プロジェクタの使用が改めて開始されたときに、前記ランプ点灯時間管理部に記憶された前記ランプ点灯累積時間信号の示す内容に基づいて前記ランプ点灯累積時間信号を再出力させ、再出力された前記ランプ点灯累積時間信号に基づいて前記切替回路制御指示信号を供給電流切替制御部に出力することを特徴とするプロジェクタ投射光におけるスペクトル分布制御方式。
【請求項６】
請求項３記載のプロジェクタ投射光におけるスペクトル分布制御方式において、前記ランプの使用中の光度を測定する光度測定器を備え、前記予め定められた値は、前記プロジェクタの使用開始時に前記光度測定器により測定された、前記ランプの光度に基づいて算出された値であることを特徴とするプロジェクタ投射光におけるスペクトル分布制御方式。
【発明の詳細な説明】
【技術分野】
【０００１】
本発明はプロジェクタ投射光におけるスペクトル分布制御方式に関し、特にプロジェクタからの投射光のスペクトル内の、特定の波長帯域におけるスペクトル成分の光度が他の帯域のスペクトル成分の光度に比較して不足する場合のプロジェクタ投射光におけるスペクトル分布制御方式に関する。
【背景技術】
【０００２】
従来のポータブルプロジェクタでは、特開２００２―２９６６８０号公報にも示されるように、プロジェクタの光源として使用されるランプはその特性上、ランプから投射される光の特定の波長帯域における光のスペクトル成分の光度不足が問題となっており、その波長帯域のスペクトル成分の光度と他の波長帯域のスペクトル成分の光度との間のバランスを得るためには、光度が不足する特定の波長帯域のスペクトル成分の光度を補うため、そのスペクトル成分と同じ光を発光し投射することができる他の光源、例えばＬＥＤなどの固体光源を上記ランプとともに光源として使用し、主光源であるランプの特定の波長帯域における光のスペクトル成分の光度不足を補うようにしてプロジェクタが構成されている。
【０００３】
図３に示すプロジェクタ１６は、上述したように、主光源のランプ１０からの投射光のみでは赤色光のスペクトル成分の光度が不足するので、赤色光の波長帯域のスペクトル成分と同じ光を発光する赤色ＬＥＤ（Ｌｉｇｈｔ  Ｅｍｉｔｔｉｎｇ  Ｄｉｏｄｅ）を用いた固体光源部１ｂを副光源とし主光源のランプ１０の近傍に設けて、固体光源部１ｂから投射される赤色光によってランプ１０から投射される赤色光の波長帯域における光スペクトル成分の光度不足を補う構成になっている。
【０００４】
また、固体光源部１ｂは、図４に示すように固体光源として赤色を発光する赤色ＬＥＤを使用し、その赤色ＬＥＤの一端はＤＣ電源に接続され、また他端には、赤色ＬＥＤに予め設定された電流が流れるような抵抗値を有した抵抗器が接続され、さらにその抵抗器の他端がアース電位に接続されて構成される電流供給回路が用いられている。
【０００５】
なお、図３を参照すると、図３に示すプロジェクタ１６は、主光源のランプ１０からの投射光と副光源である固体光源部１ｂからの投射光とがカラーホイール１１を介してロッド１２に投射され、さらにロッド１２を通ったランプ１０からの投射光及び固体光源部１ｂからの投射光は、ＤＭＤ（Ｄｉｇｉｔａｌ  Ｍｉｃｒｏｍｉｒｒｏｒ  Ｄｅｖｉｃｅ）１３に投射されて、スクリーン１５に投影されるべき画像情報をＤＭＤ１３から読み取り、投射光２５としてプロジェクションレンズ１４を経てスクリーン１５に投影される。
【０００６】
しかし、従来の上記のような副光源が設けられたプロジェクタ１６においては、主光源に新しいランプ１０が取り付けられた使用開始当初の段階では、赤色光の波長帯域における光スペクトル成分の光度不足の問題が無い状態でプロジェクタが使用されることになるが、プロジェクタ１６の使用回数が進みランプの累積点灯時間が増加するにつれて、主光源であるランプ１０からの投射光の光度は、図５に示すランプの光度２６のように徐々に低下し、主光源のランプ１０から投射される赤色光のスペクトル成分の光度も他の波長帯域のスペクトル成分の光度と同様に低下してしまうのに、固体光源部１ｂの赤色ＬＥＤから投射される赤色光の方には赤色ＬＥＤの使用時間の経過による光度低下が生じないことから、プロジェクタ１６の使用によるランプ１０の累積点灯時間が増すにつれて、プロジェクタ１６からの投射光の赤色光の波長帯域のスペクトル成分の光度が他の波長帯域のスペクトル成分の光度よりも相対的に高くなってしまい、各波長帯域のスペクトル成分間の光度のバランスが崩れてしまうという問題が生じていた。
【０００７】
【特許文献１】特開２００２−２９６６８０号公報  （第２頁―第３頁、図１）
【発明の開示】
【発明が解決しようとする課題】
【０００８】
上述した従来のプロジェクタでは、主光源のランプを新しいランプに交換したばかりの段階、すなわち、ランプの使用を開始したばかりの段階では、プロジェクタから投射される光の上記の特定の波長帯域のスペクトル成分（図３に示すプロジェクタの場合では赤色光の波長帯域におけるスペクトル成分）の光度は他の波長帯域のスペクトル成分と同程度の光度を有していて光度不足の問題は無く、プロジェクタからの投射光の各波長帯域のスペクトル成分の光度間のバランスがとれている状態であるが、主光源のランプの点灯時間が増すにつれて、主光源のランプからの投射光の光度が徐々に低下していき、一方、副光源の赤色ＬＥＤから投射される赤色光には使用時間の経過による光度低下が無いことから、主光源のランプの累積点灯時間が増すにつれて、プロジェクタからの投射光に含まれる上記の特定の波長帯域のスペクトル成分の光度と他の波長帯域のスペクトル成分の光度とのバランスが崩れ、上記特定の波長帯域のスペクトル成分の光度が、他の波長帯域のスペクトル成分の光度よりも相対的に高くなってしまうという欠点を有していた。
【０００９】
本発明の目的は、主光源のランプの累積点灯時間の増加につれて低下する主光源のランプの投射光の光度変化に対応して、副光源から投射される光の光度を予め定められた光度に低下させることができ、プロジェクタ投射光に含まれる各波長帯域のスペクトル成分間の光度のバランスを崩さないようにすることができるプロジェクタ投射光におけるスペクトル分布制御方式を提供することにある。
【課題を解決するための手段】
【００１０】
第１の発明のプロジェクタ投射光におけるスペクトル分布制御方式は、
（Ａ）プロジェクタの主光源であるランプ、
（Ｂ）前記ランプの光に含まれるスペクトル成分の中の、他のスペクトル成分に比較して光度の低い特定の波長帯域のスペクトル成分の光度を補うために前記プロジェクタの副光源として用いられる、前記特定の波長帯域の光を発光する固体光源、
を備えたプロジェクタ投射光におけるスペクトル分布制御方式において、前記プロジェクタが使用されるごとに前記ランプの累積点灯時間の値を記憶し、前記ランプの累積点灯時間の値が予め定められた値に達するごとに、前記ランプの累積点灯時間の値が予め定められた値に達したことを知らせる信号を出力するランプ点灯時間管理手段と、前記ランプ点灯時間管理手段からの前記信号を受け取る都度、前記固体光源から発光される前記特定の波長帯域のスペクトル成分の光度を、そのときの光度より低い、予め定められた値の光度に低下させるために前記固体光源に供給される電流値を制御する制御手段とを備えたことを特徴として構成される。
【００１１】
また、第２の発明のプロジェクタ投射光におけるスペクトル分布制御方式は、第１の発明のプロジェクタ投射光におけるスペクトル分布制御方式において、前記主光源であるランプは白色光に近い光を発光し、前記特定の波長帯域のスペクトル成分は赤色光であることを特徴として構成される。
【００１２】
また、第３の発明のプロジェクタ投射光におけるスペクトル分布制御方式は、
（Ａ）プロジェクタの主光源である、白色光に近い光を発光するランプ、
（Ｂ）前記ランプの光に含まれるスペクトル成分の中で他のスペクトル成分に比較して光度の低い赤色光を補足するために前記プロジェクタの副光源として用いられる、赤色光を発光する固体光源、
を備えたプロジェクタ投射光におけるスペクトル分布制御方式において、
（Ｃ）前記プロジェクタが使用されるごとに前記ランプの累積点灯時間の値を記憶し、ランプの累積点灯時間の値が予め定められた値に達するごとに、ランプ点灯累積時間信号を出力するランプ点灯時間管理部、
（Ｄ）入力された前記ランプ点灯累積時間信号に基づいて、前記固体光源に供給される電流の値を切替えさせるための赤色光光度低下制御信号を出力する制御部、
（Ｅ）前記固体光源に供給される電流の値を切替えるための切替回路を有する供給電流切替部、
（Ｆ）前記赤色光光度低下制御信号を入力したとき、その都度、前記固体光源から発光される赤色光の光度を、そのときの光度より低い、予め定められた値の光度に低下させる制御を行うために、前記固体光源に供給される電流値をそれまでの電流値から前記ランプ点灯累積時間信号が示すランプの累積点灯時間の値に対応した、前記赤色光光度低下制御信号に示される予め定められた値まで、前記固体光源に供給される電流値を減少させるために必要な、前記供給電流切替部の切替回路の制御を指示する切替回路制御指示信号を出力する供給電流切替制御部、
を備えたことを特徴として構成される。
【００１３】
また、第４の発明のプロジェクタ投射光におけるスペクトル分布制御方式は、第３の発明のプロジェクタ投射光におけるスペクトル分布制御方式において、前記制御部は、前記ランプが新しいランプに交換されてランプ交換情報が操作入力されたとき、前記ランプ点灯時間管理部が記憶していた前記ランプの累積点灯時間の値を消去して、前記新しいランプの累積点灯時間の値の記憶を再開させることを特徴として構成される。
【００１４】
また、第５の発明のプロジェクタ投射光におけるスペクトル分布制御方式は、第３の発明のプロジェクタ投射光におけるスペクトル分布制御方式において、前記制御部は前記プロジェクタの使用中に、前記ランプ点灯累積時間信号が前記ランプ点灯時間管理部から出力された場合は、前記プロジェクタの使用中は前記切替回路制御指示信号を供給電流切替制御部に出力せず、前記ランプ点灯時間管理部に対し、前記ランプ点灯累積時間信号の示す内容を記憶保持させ、前記プロジェクタの使用が終了した後の、前記プロジェクタの使用が改めて開始されたときに、前記ランプ点灯時間管理部に記憶された前記ランプ点灯累積時間信号の示す内容に基づいて前記ランプ点灯累積時間信号を再出力させ、再出力された前記ランプ点灯累積時間信号に基づいて前記切替回路制御指示信号を供給電流切替制御部に出力することを特徴として構成される。
【００１５】
また、第６の発明のプロジェクタ投射光におけるスペクトル分布制御方式は、第３の発明のプロジェクタ投射光におけるスペクトル分布制御方式において、前記ランプの使用中の光度を測定する光度測定器を備え、前記予め定められた値は、前記プロジェクタの使用開始時に前記光度測定器により測定された、前記ランプの光度に基づいて算出された値であることを特徴として構成される。
【発明の効果】
【００１６】
以上説明したように、本発明のプロジェクタ投射光におけるスペクトル分布制御方式は、プロジェクタが使用されるごとに主光源のランプの累積点灯時間を記憶し、ランプの累積点灯時間が予め定められた値に達するごとに、その都度、副光源から発光され投射される特定の波長帯域の光の光度を、そのときの光度より低い、予め定められた値に低下させることができるように副光源に供給される電流値の制御が行われるよう構成することにより、主光源のランプの累積点灯時間の増加につれて低下する主光源のランプの投射光の光度変化に対応して、副光源から投射される光の光度を予め定められた光度に低下させることができ、プロジェクタ投射光に含まれる各波長帯域のスペクトル成分間の光度のバランスを崩さないようにすることができるという効果を有している。
【発明を実施するための最良の形態】
【００１７】
プロジェクタが使用されるごとに、主光源のランプの累積点灯時間の値を記憶して管理し、ランプの累積点灯時間が予め定められた値に達するごとに、主光源のランプから投射される光に含まれるスペクトル成分の中で、他のスペクトル成分に比較して光度が不足する特定の波長帯域のスペクトルの光度を補うための副光源の固体光源部から投射される特定の波長帯域のスペクトル成分の光度を、その固体光源部への供給電流の制御を行うことにより、そのときの光度より低い予め定められた値の光度に低下させて、プロジェクタ投射光に含まれる各波長帯域のスペクトル成分間の光度のバランスを崩さないようにする。
【実施例】
【００１８】
次に、本発明の実施の形態について図面を参照して説明する。
【００１９】
図１は、本発明のプロジェクタ投射光におけるスペクトル分布制御方式の実施の一形態を示すブロック図である。
【００２０】
図１に示す本実施の形態のプロジェクタ投射光におけるスペクトル分布制御方式は、ＤＣ電源に接続され、プロジェクタの副光源として用いられる、赤色光を発光するＬＥＤを使用した固体光源、及びそれぞれの一端が固体光源に接続され、他端がそれぞれ後述するスイッチ６ａ〜スイッチ６ｄに接続される、前記固体光源に供給される電流の値が予め定められたそれぞれ異なる値の電流に切り替えられるようにするための異なった抵抗値を有する抵抗器７ａ〜７ｄを備えた固体光源部１ａと、プロジェクタが使用されるときにはその都度、主光源のランプ（図示せず）の点灯時間を計数して、計数したランプの点灯時間を、プロジェクタの使用終了時に、新たなランプの使用を開始したときから前回のプロジェクタ使用までの、記憶しておいたランプの累積点灯時間の値に加算して得られた新たな累積点灯時間の値を記憶し、このランプの累積点灯時間の値が予め定められた値に達するごとに、ランプ点灯累積時間信号２７を出力するランプ点灯時間管理部２と、ランプ点灯時間管理部２から出力されるランプ点灯累積時間信号２７を入力して、ランプ点灯累積時間信号２７に基づいて固体光源に供給される電流の値を切替えさせるための赤色光光度低下制御信号２８を後述する供給電流切替制御部３に出力する制御部５と、固体光源に供給される電流の値を切替えるための複数の切り替えスイッチ６ａ〜スイッチ６ｄを有する供給電流切替部４と、赤色光光度低下制御信号２８を入力したとき、その都度、固体光源から発光される赤色光の光度を、そのときの光度より低い、予め定められた値の光度に低下させる制御を行うために、固体光源に供給される電流値をそれまでの電流値からランプ点灯累積時間信号２７が示すランプの累積点灯時間の値に対応した、赤色光光度低下制御信号２８に示される予め定められた値まで、固体光源部１ａの固体光源に供給される電流値を減少させるために必要な、供給電流切替部４の切り替えスイッチの制御を指示する切替回路制御指示信号２９ａ〜２９ｄを出力する供給電流切替制御部３とから構成される。
【００２１】
次に、動作を説明する。
【００２２】
図１を参照すると、固体光源部１ａは、一端をＤＣ電源に接続され、他端を供給電流切替部４に接続されている。この固体光源部１ａの固体光源は、図３に示すプロジェクタの固体光源部１ｂの固体光源と同様に、本発明のプロジェクタの主光源であるランプ（図示せず）の近傍に設けられてプロジェクタの副光源として使用される。
【００２３】
すなわち、ランプとしては白色光に近い光を発光するランプが用いられるが、このランプの光に含まれるスペクトル成分の中で赤色光の波長帯におけるスペクトル成分の光度が他色の波長帯のスペクトル成分に比較して光度が不足するので、この赤色光の波長帯のスペクトル成分の光度不足を補うために、上記赤色光と同じ波長帯の赤色光を発光するＬＥＤを使用した固体光源部１ａを主光源であるランプの近傍に設けプロジェクタの副光源として用いる点は図３に示す従来技術のプロジェクタ１６と同様である。
【００２４】
なお、ここではランプの累積点灯時間の値はゼロからスタートするものとする。
【００２５】
このランプからの投射光の光度は、ランプの累積点灯時間の値がゼロの時点、すなわちランプの使用開始時点での光度は、プロジェクタの使用回数が進みランプの累積点灯時間が増加するにつれて、図２に示すランプの光度２６のように徐々に低下する。
【００２６】
また、固体光源部１ａから投射される赤色光の光度２１は、図２に示すように、段階的に徐々に低下するように切替制御が行われる。図２の場合では、ランプの累積点灯時間の値が予め定められた値に達すると、段階的に低下するように切替制御が行われ、Ａ、Ｂ、及びＣ点の３箇所で切替制御が行われる場合が示されている。
【００２７】
ランプ点灯時間管理部２は、プロジェクタが使用されるごとにランプの累積点灯時間の値を記憶し、ランプの累積点灯時間の値が予め定められた値（図２のＡ点）に達すると、１回目のランプ点灯累積時間信号２７を制御部５へ出力する。
【００２８】
１回目のランプ点灯累積時間信号２７をランプ点灯時間管理部２から受け取った制御部５は、１回目のランプ点灯累積時間信号２７に基づいて１回目の赤色光光度低下制御信号２８を生成して供給電流切替制御部３へ出力する。
【００２９】
供給電流切替制御部３は、制御部５から出力された１回目の赤色光光度低下制御信号２８を入力すると、固体光源部１ａから投射される赤色光のそれまでの光度（図２におけるランプの使用開始時点からＡ点までの部分の赤色光の光度２１が示す光度）を、そのときの光度より低い、予め定められた値の光度（図２におけるＡ点からＢ点までの部分の赤色光の光度２１が示す光度）に低下させる制御を行うために、固体光源部１ａに供給される電流値をそれまでの電流値から、１回目のランプ点灯累積時間信号が示すランプの累積点灯時間の値に対応する、予め定められた電流値まで減少させるように電流切替制御を指示する切替回路制御指示信号２９ｂを供給電流切替部４へ出力する。
【００３０】
なお、図１に示すスイッチ６ａ〜６ｄの動作状態は、図２のランプの使用開始時点からＡ点までの時間の間では、ランプの使用開始時にそれまでのランプの累積点灯時間の値をランプ点灯時間管理部２が制御部５の制御によりリセットされたとき、同時に制御部５からの制御に基づいて供給電流切替制御部３から出力された切替回路制御指示信号２９ａによってオン制御されたスイッチ６ａが動作状態にあり、このスイッチ６ａの動作によって抵抗器７ａが電源アースに接続されているが、抵抗器７ａの値は固体光源から投射される赤色光の光度が、図２のランプの使用開始時点からＡ点までの部分の赤色光の光度２１が示す光度になるような値に設定されている。
【００３１】
１回目の赤色光光度低下制御信号２８を制御部５から出力された供給電流切替制御部３は、それまで動作状態にあった供給電流切替部４のスイッチ６ａを切替回路制御指示信号２９ａによってオフ制御するとともに、固体光源部１ａに供給される電流の値が、前記１回目の赤色光光度低下制御信号２８の指示する値になるように予め抵抗値が設定された固体光源部１ａの抵抗器７ｂを選択するため、供給電流切替部４のスイッチ６ｂを切替回路制御指示信号２９ｂによってオン制御し、抵抗器７ｂが電源アースに接続される。抵抗器７ｂは、固体光源部１ａから投射される赤色光の光度が図２のＡ点からＢ点までの部分の線２１で示される光度になるような値に設定されているので、抵抗器７ａから抵抗器７ｂへの切替によって固体光源部１ａに供給される電流値が切替えられ、固体光源部１ａから投射される赤色光の光度は、図２のＡ点からＢ点までの部分の赤色光の光度２１が示す光度に切替えられる。
【００３２】
ランプ点灯時間管理部２は、プロジェクタが使用されるごとにランプの累積点灯時間の値を記憶し、さらにランプの累積点灯時間の値が予め定められた値である図２のＢ点に達すると、２回目のランプ点灯累積時間信号２７を制御部５へ出力する。
【００３３】
２回目のランプ点灯累積時間信号２７をランプ点灯時間管理部２から受け取った制御部５は、１回目のランプ点灯累積時間信号２７を受け取ったときと同様に、２回目のランプ点灯累積時間信号２７に基づいて２回目の赤色光光度低下制御信号２８を生成して供給電流切替制御部３へ出力する。
【００３４】
供給電流切替制御部３も、制御部５から出力された２回目の赤色光光度低下制御信号２８を入力すると、固体光源部１ａから投射される赤色光のそれまでの光度（図２のＡ点からＢ点までの部分の線２１で示される光度）を、予め定められた値の光度（図２のＢ点からＣ点までの部分の線２１で示される光度）に低下させる制御を行うための、切替回路制御指示信号２９ｃを供給電流切替部４へ出力する。
【００３５】
切替回路制御指示信号２９ｃを制御部５から出力された供給電流切替部４は、固体光源部１ａの抵抗器７ｃが電源アースに接続されるように切替回路制御指示信号２９ｃによってスイッチ６ｃをオン制御して固体光源部１ａへの供給電流の切替を行う。この切替によって固体光源部１ａに供給される電流値が切替えられて、固体光源部１ａから投射される赤色光の光度は、図２のＢ点からＣ点までの部分の線２１で示される光度に切替えられる。
【００３６】
上記のように、ランプ点灯時間管理部２は、プロジェクタが使用されるごとにランプの累積点灯時間の値を記憶し、ランプの累積点灯時間の値が図２に示すＡ〜Ｃ点に達すると、その都度、ランプ点灯累積時間信号２７を制御部５へ出力し、制御部５及び供給電流切替制御部３により供給電流切替部４に対する切替制御が行われて、固体光源部１ａに供給される電流値が順次切替えられるので、主光源のランプの累積点灯時間の増加につれて低下する主光源のランプの投射光の光度変化に対応して、副光源から投射される光の光度を予め定められた光度に低下させることができ、プロジェクタ投射光に含まれる各波長帯域のスペクトル成分間の光度のバランスを崩さないようにすることができる。
【００３７】
上記の説明では、ランプのスペクトル成分の赤色光の光度不足を補う場合について説明したが、他色のスペクトル成分の光度不足を補う場合であってもよい。
【００３８】
また、図２の場合では、ランプの累積点灯時間の値が予め定められた値に達すると、段階的に低下するように切替制御が行われ、Ａ、Ｂ、及びＣ点の３箇所で切替制御が行われる場合が示されているが、ランプの累積点灯時間の値がＣ点を超えた後、さらにその先に予め定められた値Ｄ点を設けてそこでも切替制御が行われるようにしてもよい。あるいは、Ｄ点でランプの交換の警報を出すようにしてもよい。
【００３９】
また、上記の説明では、固体光源部１ａに供給する電流の値を切替るのに、複数のスイッチ６ａ〜６ｄを順次切り替えることで電源アースに接続される抵抗器を切り替える場合で説明したが、複数のスイッチ６ａ〜６ｄの全てをオン制御したとき、すなわち複数の抵抗器７ａ〜７ｄの全てに電流を流したとき、固体光源部１ａの固体光源から投射される赤色光の光度が最大となるようにして、この状態のときをランプの使用開始時点の状態とし、主光源のランプの累積点灯時間がＡ、Ｂ、又はＣ点等に達したとき、複数の抵抗器の電源アースへの接続を行うスイッチを順次１個ずつオフ制御し、固体光源から投射される赤色光の光度を段階的に下げるようにしてもよい。
【００４０】
また、固体光源へ供給される電流制御のために抵抗器及びスイッチを用いた回路を使用した場合で説明したが、スイッチを使用せずにスイッチ部分を電源電圧レベルとグランドレベルによる電圧制御を用いるようにしてもよい。
【図面の簡単な説明】
【００４１】
【図１】本発明のプロジェクタ方式の実施の一形態を示すブロック図である。
【図２】本発明のプロジェクタ方式におけるランプの点灯時間の経過に対応して行われる赤色固体光源の光度の切り替え制御動作の一例示す説明図である。
【図３】従来の固体光源を使用したプロジェクタ方式の構成を示す説明図である。
【図４】図３のプロジェクタ方式に使用される固体光源の回路構成を示す回路図である。
【図５】図３のプロジェクタ方式に使用されるランプの点灯時間の経過とランプの光度変化の関係を示す説明図である。
【符号の説明】
【００４２】
１ａ，１ｂ    固体光源部
２    ランプ点灯時間管理部
３    供給電流切替制御部
４    供給電流切替部
５    制御部
６ａ〜６ｄ    スイッチ
７ａ〜７ｄ    抵抗器
１０    ランプ
１１    カラーホイール
１２    ロッド
１３    ＤＭＤ
１４    プロジェクションレンズ
１５    スクリーン
１６    プロジェクタ
２１    赤色光の光度
２５    投射光
２６    ランプの光度
２７    ランプ点灯累積時間信号
２８    赤色光光度低下制御信号
２９ａ〜２９ｄ    切替回路制御指示信号
【図１】
2005106852.tif 000003
【図２】
2005106852.tif 000004
【図３】
2005106852.tif 000005
【図４】
2005106852.tif 000006
【図５】
2005106852.tif 000007